(57)【要約】【課題】使用者が両手又は片手を空けた状態で身に付けて、拡大鏡として使用することが可能で、例えばスマートフォンの屋内、屋外を問わない通常の使用において携帯も可能で、画面を拡大して視るのに好適な拡大鏡を提供する。【解決手段】拡大鏡Ｌは、所要の倍率で対象物の拡大視が可能な拡大レンズ１と、拡大レンズ１と一体に設けられ、変形可能かつ外力が作用しない状態では所要の形状を維持することができる性質を有するストラップ２とを備える。【選択図】図１
0003220130.tif 000002
【実用新案登録請求の範囲】
【請求項１】
所要の倍率で対象物の拡大視が可能な拡大レンズと、
該拡大レンズと一体に設けられ、変形可能かつ外力が作用しない状態では所要の形状を維持することができる性質を有するストラップとを備える
拡大鏡。
【請求項２】
前記拡大レンズを前記ストラップに対し着脱可能にする取付構造部を有している
請求項１記載の拡大鏡。
【請求項３】
前記ストラップがループを形成している
請求項１、又は２記載の拡大鏡。
【請求項４】
前記ストラップの材の構造が、中心部から順に、塑性変形をする金属製の芯材、該芯材を内部に通した螺旋コイル、前記芯材と前記螺旋コイルを内包して前記螺旋コイルを被覆した樹脂の三層構造である
請求項１、２、又は３記載の拡大鏡。
【請求項５】
前記拡大レンズの一部に、前記拡大レンズより倍率が大きい部分レンズが設けられている
請求項１、２、３、又は４記載の拡大鏡。
【請求項６】
前記拡大レンズが平面レンズである
請求項１、２、３、４、又は５記載の拡大鏡。
【考案の詳細な説明】
【技術分野】
【０００１】
本考案は、拡大鏡に関するものである。更に詳しくは、使用者が両手又は片手を空けた状態で身に付けて、拡大鏡として使用することが可能な拡大鏡に関する。
【背景技術】
【０００２】
細かな手作業、読書、或いは特に近年ではスマートフォンやタブレット等の操作をする際に、手元の小さな作業部や文字、各種表示等を拡大して視たいというニーズは多い。このようなニーズに応えるものの一例として、特許文献１に開示された読書用拡大鏡スタンドがある。
【０００３】
この読書用拡大鏡スタンドは、拡大鏡レンズとして枠のない広面積で軽量部材の矩形レンズを使用し、この拡大鏡レンズをレンズ取付部に着脱自在に取り付け、拡大鏡レンズを回動自在に動かせるようにレンズ取付部の接続支軸に調節ハンドルを取り付け、接続支軸にフレキシブル構造のアーム支柱を接続し、アーム支柱の下端部をスタンド台座に取り付け、スタンド台座に広面積の敷板を取り付けた構造である。
【０００４】
この読書用拡大鏡スタンドは、拡大鏡レンズと机上との間隔を大きくとることにより、雑誌などの大きな本等を視るのに、ページをめくりやすく使いやすいようにした、というものである。しかしながら、この拡大鏡スタンドは、読書用であるとはいえ、例えば、一般に使用頻度が高いとされるスマートフォンの画面を拡大して視ようとする場合、次のような課題を生じていた。
【先行技術文献】
【特許文献】
【０００５】
【特許文献１】特開２００６−３３０２１７号公報
【考案の概要】
【考案が解決しようとする課題】
【０００６】
まず、読書用拡大鏡スタンドは、使用者が対象物を両手で持っても対象物を拡大して視るのに支障はないが、使用者が身に付けることはできないため、使用場所が机等に限られる。したがって、読書用拡大鏡スタンドは、例えばスマートフォンの屋内、屋外を問わない通常の使用において利用することは難しく、使い勝手が如何にも悪かった。
【０００７】
また、読書用拡大鏡スタンドは、拡大鏡レンズをレンズ取付部に着脱自在に取り付けてあるので、分解は可能である。しかし、アーム支柱と接続支軸が付いており、更に広面積の敷板を取り付けたスタンド台座が重く嵩張るので、通常は、使用者がこれを携帯しようとする考えには至らないというものであった。
【０００８】
本考案は、以上の点に鑑みて創案されたものであり、使用者が両手又は片手を空けた状態で身に付けて、拡大鏡として使用することが可能で、例えばスマートフォンの屋内、屋外を問わない通常の使用において携帯も可能で、画面を拡大して視るのに好適な拡大鏡を提供することを目的とする。
【課題を解決するための手段】
【０００９】
（１）上記目的を達成するために、本考案は、所要の倍率で対象物の拡大視が可能な拡大レンズと、拡大レンズと一体に設けられ、変形可能かつ外力が作用しない状態では所要の形状を維持することができる性質を有するストラップとを備える拡大鏡である。
【００１０】
本考案の拡大鏡は、ストラップが変形可能かつ外力が作用しない状態では所要の形状を維持することができる性質を有するので、使用者が首や手等に、手を使った作業の邪魔にならない態様に変形させて取り付け、身に付けた状態とすることができる。そして、その状態を維持したままで、使用者が空いた手で対象物を持ち、拡大レンズの向こう側に位置させることで、使用者は対象物を拡大して視ることができる。
【００１１】
このとき、使用者は両手を自由に使うことができるので、前述の拡大レンズの向こう側に、手で持った対象物を位置させることも容易に行うことができるし、拡大して視ている対象物に対して何らかの操作をする場合も支障なく行うことができる。
【００１２】
すなわち、本考案の拡大鏡は、使用者が両手又は片手を空けた状態で身に付けて、拡大鏡として使用することが可能である。これによれば、例えばスマートフォンの屋内、屋外を問わない通常の使用において携帯も可能で、使用する際の画面の操作や画面の視認をするために、画面を拡大して視るのに好適である。
【００１３】
なお、ストラップは、塑性材料と同様に任意の形状に変形させることができ、外力が作用しない状態では、変形前の元の形状、或いは変形後の形状をそのまま維持することができる。
【００１４】
また、ストラップは、単一の材料で形成してもよいし、複数種類の材料を複合して形成してもよい。なお、後者では、複数種類の材料の全部が上記と同様の性質を有していてもよいし、少なくとも一つの同様の性質を有する材料があれば、同様の性質を有していない材料が混在していてもよい。
【００１５】
（２）本考案は、拡大レンズをストラップに対し着脱可能にする取付構造部を有している構成としてもよい。
【００１６】
この場合は、拡大レンズは、取付構造部により、ストラップに対し着脱可能であるので、必要に応じて、拡大レンズをストラップから取り外すことができる。これにより、拡大鏡を携帯するために分解する際、袋等の入れ物に収納する場合に、邪魔になりにくく便利である。
【００１７】
また、拡大レンズは、ストラップに対し着脱可能であるので、交換が可能である。これにより、拡大レンズが損傷したときに新しいものに交換することができ、拡大レンズの倍率を変えたいとき、或いはデザインの異なるレンズに変えたとき等にも交換することができ、使用する拡大レンズの選択の自由度が高い。
【００１８】
（３）本考案は、ストラップがループを形成している構成としてもよい。
【００１９】
この場合は、使用者が、ストラップを首に掛けた後、ストラップを適宜変形させて、拡大レンズが使用者の目線に対し正面を向くようにしておけば、その状態を維持したままで、対象物を拡大レンズの向こう側に位置させることで、使用者は対象物を拡大して視ることができる。
【００２０】
また、ストラップがループを形成しているので、使用者は、ストラップを首に掛けるだけで、他に特段の手段を講じることなく、拡大鏡を身に付けた状態にすることができる。なお、ストラップを首に掛けた状態では、使用者が拡大レンズを自身の目線に対し正面を向くように合わせやすい利点もある。
【００２１】
（４）本考案は、ストラップの材の構造が、中心部から順に、塑性変形をする金属製の芯材、芯材を内部に通した螺旋コイル、芯材と螺旋コイルを内包して螺旋コイルを被覆した樹脂の三層構造である構成としてもよい。
【００２２】
この場合は、ストラップの材の構造が三層構造であるので、ストラップの性質はそれぞれの層の影響を受ける。つまり、芯材は金属製で塑性変形をするので、ストラップの変形可能かつ外力が作用しない状態では所要の形状を維持することができる性質を示す。
【００２３】
また、芯材を内部に通した螺旋コイルは、芯材が変形（主に曲がり変形）したときも、追従して自由に変形し、かつ芯材に対して自由に動くので、互いに相手の変形による応力をほとんど受けない。
【００２４】
更に、プラスチックコイルは、芯材に樹脂が接触しないように邪魔しており、芯材が樹脂からの応力を直接受けることがない。これにより、芯材を内包して螺旋コイルと樹脂の層があるにも関わらず、ストラップは、上記芯材由来の性質を以て比較的容易に変形させることができる。
【００２５】
また、芯材と螺旋コイルを内包して螺旋コイルを被覆した樹脂は、芯材と螺旋コイルを保護すると共に、使用者が身に付ける際の滑り止めの機能も有している。なお、樹脂は、変形の際に反発や抵抗による生じる応力が小さいものが好ましく、例えばシリコン、或いはシリコンゴム等が好適に採用できる。
【００２６】
（５）本考案は、拡大レンズの一部に、拡大レンズより倍率が大きい部分レンズが設けられている構成としてもよい。
【００２７】
この場合は、使用者が、拡大レンズの倍率では、まだ視認しにくいときに、部分レンズで視るようにすれば、拡大レンズより大きい倍率での視認が可能になり、倍率の大きい別のレンズに交換する手間が軽減されるので、使い勝手に優れる。
【００２８】
（６）本考案は、拡大レンズが平面レンズである構成としてもよい。
【００２９】
この場合は、拡大レンズに通常採用される凸レンズに比べて、薄く軽量に作ることができるので、取り扱いがしやすい。また、平面レンズは、外形を多様なデザインで、比較的容易に作ることができるので、使用者の様々なニーズに対応することができる。
【考案の効果】
【００３０】
本考案は、使用者が両手又は片手を空けた状態で身に付けて、拡大鏡として使用することが可能で、例えばスマートフォンの屋内、屋外を問わない通常の使用において携帯も可能で、画面を拡大して視るのに好適な拡大鏡を提供することができる。
【図面の簡単な説明】
【００３１】
【図１】本考案に係る拡大鏡の一実施の形態を示す斜視説明図である。
【図２】図１に示す拡大鏡の分解斜視説明図である。
【図３】図１に示す拡大鏡の平面図である。
【図４】図３におけるＡ−Ａ断面図である。
【図５】ストラップの材を長さ方向で断面した断面説明図である。
【図６】拡大鏡の使用状態を示す説明図である。
【考案を実施するための形態】
【００３２】
本考案を図面に示した実施の形態に基づき詳細に説明する。
図１乃至図４を参照する。
拡大鏡Ｌは、拡大レンズ１、ストラップ２、及び拡大レンズ１とストラップ２の着脱、すなわち、取り付け、及び取り外しができるようにする取付構造部３により構成されている。
【００３３】
拡大レンズ１は、アクリル樹脂製で、円形の凸レンズである。拡大レンズ１の外周縁の近傍には、後で説明する取付構造部３を構成するプラグ３０に固定するための固定用孔１０が表裏を貫通して設けられている（図２、図４参照）。なお、拡大レンズ１は、アクリル樹脂製であるので軽量につくることができ、拡大鏡Ｌの軽量化に寄与できる。
【００３４】
また、本実施の形態においては、拡大レンズ１の直径は１２８ｍｍであるが、これに限定せず、適宜大きさのものが採用できる。拡大レンズ１は、ガラス製のレンズの採用も可能であり、倍率（拡大率）についても拡大視する対象物に対し適正な倍率を適宜選択することができる。
【００３５】
なお、拡大レンズとして、図示はしていないが、その一部に、拡大レンズより倍率が大きい部分レンズを設けることもできる。
部分レンズを有する拡大レンズは、例えば使用者が、拡大レンズの倍率では、まだ視認しにくいときに、部分レンズで視るようにすれば、拡大レンズより大きい倍率での視認が可能になり、倍率の大きい別のレンズに交換する手間が軽減されるので、使い勝手に優れる。
【００３６】
更に、同じく図示はしていないが、拡大レンズとして、いわゆる平面レンズ（シートレンズとも言われる）を採用することもできる。平面レンズは、薄く軽量に作ることができるので、取り扱いがしやすい。また、平面レンズは、外形（縁形状）を円形の他、楕円形、四角形等の多角形状の多様なデザインで、比較的容易に作ることができるので、使用者の様々なニーズに対応することができる。なお、平面レンズとしては、例えばフレネルレンズが採用できるが、これに限定せず、公知の他の方式の平面レンズの採用も可能である。
【００３７】
ストラップ２は、所要の長さを有し、ループを形成している。具体的には、ストラップ２は、後で説明する取付構造部３を構成するソケット３１に取り付けられることによって、ソケット３１と共にループを形成する。
【００３８】
ストラップ２の長さは、本実施の形態では１０００ｍｍであるが、これに限定せず、使用者の身に付ける箇所等に応じて適宜設定が可能である。また、ストラップ２の材２０の直径は８ｍｍであるが、これに限定せず、適宜設定が可能である。
【００３９】
ストラップ２は、変形可能かつ外力が作用しない状態では所要の形状を維持することができる性質、すなわち塑性的な性質を有する。ストラップ２は、自身にこのような性質を持たせるために、次のような構造を有している。
【００４０】
図５を参照する。
ストラップ２の材２０は、中心部に金属製で断面形状円形の芯材２０１が配されている。芯材２０１は、ストラップ２の全長に渡り設けられ、塑性変形をすると共に、ストラップ２を使用者が比較的容易に変形させることができる程度の強度（剛性）を有する。
本実施の形態では、芯材２０１は太さが２ｍｍであるが、これに限定せず、適宜調整が可能である。また、芯材２０１は、スチール製であるが、アルミニウム等、他の金属を採用してもよい。
【００４１】
芯材２０１は、螺旋コイルであるプラスチックコイル２０２の内部空間（符号省略）に通され、プラスチックコイル２０２に内包されている。プラスチックコイル２０２は、素材自体も適度な弾性（変形性）を有しており、コイルという形状的な特有の変形性とも相まって、柔軟に変形することができる。
【００４２】
また、プラスチックコイル２０２は、軽量につくることができるので、拡大鏡Ｌの軽量化に寄与できる。螺旋コイルは、本実施の形態のプラスチックに限定せず、必要な変形性と強度、及び好ましくは軽量な性質を備えていれば、他の材料を使用することもできる。なお、芯材２０１とプラスチックコイル２０２の間には、若干の隙間２００を設けているが、密着させた構成としてもよい。
【００４３】
プラスチックコイル２０２の外側には、プラスチックコイル２０２を全長に渡り内包するように密着して、つまり結果として芯材２０１も内包して、樹脂であるシリコンゴム製の被覆層２０３が設けられている。被覆層２０３は、プラスチックコイル２０２の外面の凹凸（符号省略）に入り込むようにして密着しており、被覆層２０３が有する柔軟性を以て、プラスチックコイル２０２の変形をある程度制限する。これにより、ストラップ２の材２０は、三層構造となる。なお、被覆層２０３の材料である樹脂としては、天然樹脂の他、合成樹脂が採用でき、その種類も特に限定しない。
【００４４】
そして、上記拡大レンズ１とストラップ２は、取付構造部３を介して着脱可能である。
図２、図４を主に参照する。
取付構造部３は、拡大レンズ１を固定するプラグ３０と、ストラップ２を固定するソケット３１により構成されている。
【００４５】
拡大レンズ１側のプラグ３０は、所要長さの四角筒体で先端に永久磁石３０１ａが固定されている挿入体３０１と、挿入体３０１上部の背面側（図２で右斜め奥側）に設けてある円形の背面部材３０２と、同じく正面側に設けてある円形の正面部材３０３と、背面部材に装着される背面蓋３０４と、正面部材３０３に装着される正面蓋３０５と、背面部材３０２と正面部材３０３で挟まれて空隙部３００に収容される固定用部材３０６を備えている。上記拡大レンズ１は、プラグ３０に取り付けて一体に形成されており、その構造は次のとおりである。
【００４６】
まず、拡大レンズ１の固定用孔１０側の外周縁に固定用部材３０６が嵌め込まれており、固定用部材３０６の二つの通し孔３０６ａは固定用孔１０に合わせてある。この状態で、固定用部材３０６が拡大レンズ１と共に、背面部材３０２と正面部材３０３で挟まれて空隙部３００に収容されており、各通し孔３０６ａは正面部材３０３の図２で頂部にあるネジ用孔３０３ａに合わせてある。ネジ用孔３０３ａは、正面部材３０３の三箇所に設けてある。
【００４７】
そして、背面蓋３０４の三箇所に設けてあるネジ受け３０４ａを、背面部材３０２の三箇所に設けてある通し孔３０２ａに差し込み、背面蓋３０４を装着している。なお、背面蓋３０４の頂部にあるネジ受け３０４ａについては、固定用部材３０６の通し孔３０６ａから拡大レンズ１の固定用孔１０、二つ目の通し孔３０６ａを通るようにしてあり、各ネジ受け３０４ａの先端は正面部材３０３の内面に達している。
【００４８】
この状態で、正面部材３０３に設けてある各ネジ用孔３０３ａを通してネジ受け３０４ａにネジ３０９がネジ込まれている。更に、正面部材３０３の各ネジ用孔３０３ａの間に設けてある止め孔３０３ｂに、正面蓋３０５に設けてある止め具３０５ａを圧入し、正面蓋３０５を装着している。これにより、拡大レンズ１はプラグ３０に固定された態様となる。
【００４９】
また、ストラップ２側のソケット３１は、ストラップ２の材２０の両端が固定されているケース３１０を有している。ケース３１０には、上記プラグ３０の挿入体３０１を若干の隙間を以て挿入可能な挿入口３１１が設けてある。
【００５０】
挿入口３１１は、ケース３１０を貫通しておらず、ケース３１０の底（符号省略）には、上記挿入体３０１の永久磁石３０１ａと対応する位置に、永久磁石３０１ａと磁着する永久磁石３１０ａが固定されている。なお、各永久磁石の磁力は、拡大レンズ１の重さで引かれた程度では容易に離脱せず、かつ人の手による離脱操作は比較的容易にできる強さに設定されている。
【００５１】
上記構造によれば、一体化した拡大レンズ１及びプラグ３０と、同じく一体化したストラップ２及びソケット３１は、着脱が可能である。つまり、プラグ３０の挿入体３０１をソケット３１の挿入口３１１に挿入し、永久磁石３０１ａと永久磁石３１０ａを磁着させることで、拡大レンズ１とストラップ２を、取付構造部３を介して取り付けることができる。なお、拡大レンズ１とストラップ２は、プラグ３０の挿入体３０１をソケット３１の挿入口３１１を引き抜くことで、取り外すことができる。
【００５２】
（作用）
図６を主に参照して拡大鏡Ｌの作用を説明する。
まず、拡大鏡Ｌのストラップ２は、材２０の構造が三層構造であるので、ストラップ２の性質はそれぞれの層の影響を受ける。つまり、芯材２０１はスチール製で塑性変形をするので、ストラップ２の変形可能かつ外力が作用しない状態では所要の形状を維持することができる性質を示す。
【００５３】
また、芯材２０１を内部に通したプラスチックコイル２０２は、芯材２０１が曲がり変形したときも、追従して自由に変形し、かつ芯材２０１に対して自由に動くので、互いに相手の変形による応力をほとんど受けない。
【００５４】
更に、プラスチックコイル２０２は、芯材２０１に被覆層２０３のシリコンゴムが接触しないように邪魔しており、芯材２０１が樹脂からの応力を直接受けることがない。これにより、芯材２０１を内包してプラスチックコイル２０２と被覆層２０３の各層があるにも関わらず、ストラップ２は、芯材２０１由来の性質を以て比較的容易に変形させることができる。
【００５５】
また、芯材２０１とプラスチックコイル２０２を内包してプラスチックコイル２０２を被覆した被覆層２０３のシリコンゴムは、芯材２０１とプラスチックコイル２０２を保護すると共に、使用者が身に付ける際の滑り止めの機能も有している。なお、被覆層２０３にはシリコンゴムを採用しているので、変形の際に反発や抵抗による生じる応力が比較的小さく、変形させやすい。また、シリコンゴムには、使用者の皮膚に触れても影響を及ぼしにくく、肌に優しい利点もある。
【００５６】
これにより、拡大鏡Ｌは、ストラップ２が変形可能かつ外力が作用しない状態では所要の形状を維持することができる性質を有するので、使用者Ｈは、図６に示すように、手を使った作業の邪魔にならない形状に変形させて、首に掛けて身に付けた状態とすることができる。
【００５７】
そして、その状態を維持したままで、使用者Ｈが空いた両手で、対象物であるスマートフォン４を持ち、使用者Ｈから視て拡大レンズ１の向こう側に位置させることで、使用者Ｈはスマートフォン４の画面を拡大して視ることができる。
【００５８】
このとき、使用者Ｈは両手を自由に使うことができるので、拡大レンズ１の向こう側に、手で持ったスマートフォン４を位置させることも容易に行うことができるし、拡大して視ているスマートフォン４に対して操作をする場合も支障なく行うことができる。
【００５９】
すなわち、拡大鏡Ｌは、使用者Ｈが両手又は片手を空けた状態で身に付けて、拡大鏡として使用することが可能である。これによれば、スマートフォン４の屋内、屋外を問わない通常の使用において携帯も可能で、スマートフォン４に限らず、本や新聞の文字、更には細かな手作業の際に手元を視認するために、拡大して視るのに好適である。
また、ストラップ２を適宜変形させて、スタンドにして机等に置き、拡大レンズ１でスマートフォン４等の画面が拡大された状態で視えるようにして使用することもできる。
【００６０】
また、拡大レンズ１とストラップ２は、着脱が可能であるので、拡大レンズ１、又はストラップ２の交換が可能である。これにより、例えば拡大レンズ１が損傷したときに新しいものに交換することができ、拡大レンズ１の倍率を変えたいとき、或いはデザインの異なるレンズに変えたとき等にも交換することができ、使用する拡大レンズの選択の自由度が高い。
【００６１】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形が可能であるということは言うまでもない。
【符号の説明】
【００６２】
Ｌ  拡大鏡
１  拡大レンズ
１０  固定用孔
２  ストラップ
２０  材
２０１  芯材
２０２  プラスチックコイル
２０３  被覆層
３  取付構造部
３０  プラグ
３０１  挿入体
３０１ａ  永久磁石
３０２  背面部材
３０２ａ  通し孔
３０３  正面部材
３０３ａ  ネジ用孔
３０３ｂ  止め孔
３００  空隙部
３０４  背面蓋
３０４ａ  ネジ受け
３０５  正面蓋
３０５ａ  止め具
３０６  固定用部材
３０６ａ  通し孔
３０９  ネジ
３１  ソケット
３１０  ケース
３１１  挿入口
３１０ａ  永久磁石
【図１】
0003220130.tif 000003
【図２】
0003220130.tif 000004
【図３】
0003220130.tif 000005
【図４】
0003220130.tif 000006
【図５】
0003220130.tif 000007
【図６】
0003220130.tif 000008